【手続補正書】
【提出日】平成17年5月19日(2005.5.19)
【手続補正１】
【補正対象書類名】明細書
【補正対象項目名】全文
【補正方法】変更
【補正の内容】
【書類名】      明細書
【発明の名称】  遊技機
【特許請求の範囲】
【請求項１】  正面側に開口する箱形の筐体と、
筐体の開口部を上下に分離する仕切部材と、
前記仕切部材上側が形成する開口上部を開閉可能に塞ぐ上部前扉と、前記仕切部材下側が形成する開口下部を開閉可能に塞ぐ下部前扉とを有し、
遊技機の作動を制御するための制御装置と、
前記仕切部材の上部と下部とに配置された内部装置を上下方向に電気的に接続する電気的接続手段を少なくとも有する遊技機において、
種々の内部装置を設置あるいは固定するための支持体を設け、この支持体を、前記仕切部材の上部に配置するとともに、筐体に対して着脱自在に形成し、
前記電気的接続手段を、上下に開口を有する筒状に形成された被覆手段の内部に挿通し、
前記電気的接続手段の一端を、前記被覆手段の上部開口を通して前記制御装置に接続可能とし、
前記仕切部材には、前記電気的接続手段又は前記被覆手段が挿通可能な挿通孔を形成し、
前記被覆手段には、前記電気的接続手段又は前記被覆手段を前記挿通孔に挿通したときに、前記挿通孔との間に生じる隙間を遮蔽可能な遮蔽手段を設けたことを特徴とする遊技機。
【請求項２】  前記遮蔽手段は、前記被覆手段に水平方向に設けたフランジ部とし、このフランジ部は、前記仕切部材の挿通孔に前記電気的接続手段又は前記被覆手段を挿通させた状態で、前記仕切部材の上面側及び下面側のいずれか一方もしくは双方側から隙間を塞ぐ位置に設けられていることを特徴とする請求項１記載の遊技機。
【請求項３】  前記被覆手段は、前記仕切部材の上下に連続して設けられていることを特徴とする請求項１又は２記載の遊技機。
【発明の詳細な説明】
【０００１】
【発明の属する技術分野】
この発明は、筐体内の開口が上下に分割されていて、各開口部に内蔵された内部装置を電気的に接続する電気的接続手段を有する遊技機に関するものである。
【０００２】
【従来の技術】
従来より、この種の遊技機、例えばスロットマシンにおいては、正面側に開口する筺形と、この開口を上下に仕切る仕切部材としての中板と、筐体の開口部を開閉自在に塞ぐ前扉とを備えているものがある。このうち、開口下部、すなわち中板の下方には、遊技用のメダルを貯留すると共に遊技メダルを払い出すためのホッパーユニットや、電源装置等が設置されている。また、開口上部、すなわち中板の上方には、複数の図柄が表示された回転リールを有するリールユニットと、リールユニット及びホッパーユニット等の動作を制御するための制御装置としての制御基板が設置されている。そして、筐体内、例えば筐体の裏板の表面に沿って、ホッパーユニット等の内部装置を作動させるために、前述の内部装置と制御用の基板等とを電気的に接続するケーブルなどの電気的接続手段が配線されている。
【０００３】
ここで、前記制御基板は、遊技を司る重要な構成装置であり、この部分に例えばピアノ線などをさしこんで回路をショートさせたりすると、機械が誤作動を起こして通常の遊技が行えなくなる。このような、いわゆる「ゴト」行為から重要部品を保護するために、前扉を上下に分割し、重要な構成装置と、遊技者の目の前で比較的頻繁に扉を開けてメンテナンスする必要がある構成装置、例えばホッパーユニットなどを分けて配置し、別々に施錠可能なスロットマシンが、出願人によりすでに出願されている（例えば特願２００１−１６３６４９）。
【０００４】
【発明が解決しようとする課題】
しかし、上述したスロットマシンであっても、中板の上下にわたって電気機器を接続するケーブルが配線されているため、中板にケーブルを通すための間隙か設けられている。この間隙から、ピアノ線等を差し込まれるおそれがある。
また、筐体内に電気配線がむき出しになっていると、内部装置の補修や取り付け取り外しの際にこれを破損させるおそれもある。
【０００５】
そこで、各請求項にそれぞれ記載された各発明は、上記した従来の技術の有する問題点に鑑みてなされたものであり、その目的とするところは、次の点にある。
（請求項１又は２）
すなわち、請求項１又は２記載の発明は、筐体内に配線された電気的接続手段の破損を防止すると共に、外部からの異物挿入などのいわゆる「ゴト」行為を効果的に防止でき、取り付け取り外しの容易な電気的接続手段の被覆手段を有する遊技機を提供しようとするものである。
【０００６】
（請求項３）
請求項３記載の発明は、上記した請求項１又は請求項２記載の発明の目的に加え、次の点を目的とする。
すなわち、請求項３記載の発明は、簡易な構成であっても保護機能、ゴト防止機能に優れた被覆手段を有する遊技機を提供しようとするものである。
【０００７】
【課題を解決するための手段】
各請求項にそれぞれ記載された各発明は、上記した各目的を達成するためになされたものであり、各発明の特徴点を図面に示した発明の実施の形態を用いて、以下に説明する。
なお、符号は、発明の実施の形態において用いた符号を示し、本発明の技術的範囲を限定するものではない。
【０００８】
（請求項１）
（特徴点）
請求項１記載の発明は、次の点を特徴とする。
すなわち、請求項１記載の発明は、正面側に開口する箱形の筐体（筐体ユニット(10)）と、筐体の開口部を上下に分離する仕切部材（例えば中板(16)）と、仕切部材上側が形成する開口上部(11A)を開閉可能に塞ぐ上部前扉(30)と、前記仕切部材下側が形成する開口下部(11B)を開閉可能に塞ぐ下部前扉(40)とを有し、遊技機の作動を制御するための制御装置と、前記仕切部材の上部と下部とに配置された内部装置を上下方向に電気的に接続する電気的接続手段(70)を少なくとも有する遊技機において、種々の内部装置を設置あるいは固定するための支持体（枠体21）を設け、この支持体(21)を、前記仕切部材の上部に配置するとともに、筐体に対して着脱自在に形成し、前記電気的接続手段(70)を、上下に開口を有する筒状に形成された被覆手段の内部に挿通し、前記電気的接続手段(70)の一端を、前記被覆手段の上部開口を通して前記制御装置に接続可能とし、前記仕切部材には、前記電気的接続手段又は前記被覆手段が挿通可能な挿通孔(160)を形成し、前記被覆手段には、前記電気的接続手段(70)又は前記被覆手段を前記挿通孔(160)に挿通したときに、前記挿通孔(160)との間に生じる隙間を遮蔽可能な遮蔽手段(80)を設けたことを特徴とする。
【０００９】
本発明に係る遊技機は、筐体を正面側から塞ぐ前扉が、上部前扉(30)と下部前扉(40)とに分割されており、かつ、仕切部材により分離された上側の空間と下側の空間とを別々に閉塞可能な遊技機である。
前記制御装置は、いわゆる制御基板といわれるものであり、ＣＰＵ、ＲＯＭ、ＲＡＭ等の電子部品を備えている。遊技機としては、この制御装置の他に、例えばスロットマシンならば複数の図柄を表示した回転リール(24)や、メダルを払い出すための払い出し装置（ホッパーユニット(3)）などが設置されている。これらの内部装置は仕切部材の上部と下部にそれぞれ配置されているが、部品の重要度やメンテナンスの必要性等を配慮して、扉開閉頻度に応じた配置とするのが望ましい。例えば、なるべく一般遊技者の目に触れさせたくない制御装置と、メダル払い出し装置のようにメダル補給やメダル詰まりの解除のため頻繁に扉を開ける必要がある装置とは、別々に配置するのがよい。そして、これらの内部装置は、筐体内部の壁面、例えば裏板(15)や側板(13)に沿って上下に配線された電気的接続手段(70)により電気的に接続されている。
【００１０】
前記電気的接続手段(70)は、電子部品を電気的に接続するハーネス、コード、ケーブルなどであり、仕切部材の上部と下部とに配置された内部装置を上下方向に電気的に接続するものの他に、例えば内部装置同士を電気的に接続する手段や、それらを結線するための接続端子も含まれる。
さらに、前記電気的接続手段(70)のうち、仕切部材の上下に配線された部分（筐体側ケーブル(71)）は、被覆手段（例えばケーブルダクト(60)）によりカバーされていている。被覆手段は、電気的接続手段(70)の少なくとも一部を覆う筒体であり、ベース部材(61)とカバー部材(62)のように、複数の部材が組み合わさって形成されていてもよい。電気的接続手段(70)は、仕切部材を挟んで開口上部(11A)と開口下部(11B)にわたって連続しているが、被覆手段は、例えば電気的接続手段(70)の開口上部側のみをカバーするものであってもよい。
【００１１】
前記仕切部材（中板(16)）は、開口部(11)の形成する内部空間を、開口上部(11A)と開口下部(11B)とに分離する役割を果たすものであり、木製の板材、金属製のプレートとすることができる。そして、仕切部材があることにより、上部空間と下部空間との独立性を保つことが可能となるものである。この仕切部材には、前記電気的接続手段(70)又は前記被覆手段を挿通させるための挿通孔(160)が形成されている。ここで、挿通孔(160)は、仕切部材に穿設した孔の他に、例えば仕切部材の裏板側や側板側に切欠部(161)を設けることにより当該切欠部(161)と裏板(15)や側板(13)との間に形成されるものも含む。この際、仕切部材と筐体ユニット(10)の側板(13)及び裏板(15)との間には、前記挿通孔(160)以外の貫通部分を設けないのが好ましい。
【００１２】
そして、前記被覆手段には、遮蔽手段(80)が設けられている。遮蔽手段(80)は、電気的接続手段(70)を開口部(11)の上下にわたって取り付ける際に必要な、仕切部材の挿通孔(160)を塞ぐためのものであり、具体的には、挿通孔(160)と電気的接続手段(70)又は前記被覆手段との間の隙間を塞ぐためのものである。この遮蔽手段(80)は、必ずしも仕切部材に密着させて設ける必要はなく、電気的接続手段(70)を挿通させるための挿通孔(160)が、開口上部(11A)から開口下部(11B)へと、あるいは開口下部(11B)から開口上部(11A)へと、一直線に貫通しない形となるものであればよい。
【００１３】
（作用）
本発明によれば、仕切部材と電気的接続手段(70)との間の隙間を遮蔽手段(80)により塞ぐことにより、開口上部(11A)又は開口下部(11B)から物を差し込もうとしても、遮蔽手段(80)にぶつかってそれ以上挿入できないか、挿入できたとしても先端部がＬ字状に折れ曲がってしまうので、所謂「ゴト」といわれる不正行為はやりにくくなる。また、被覆手段に遮蔽手段(80)が設けられているので、被覆手段を取り付けると同時に遮蔽手段(80)を取り付けることができ、作業が容易であり、作業工程も簡素化される。
【００１４】
（請求項２）
（特徴点）
請求項２記載の発明は、上記した請求項１記載の発明の特徴点に加え、次の点を特徴とする。
すなわち、請求項２記載の発明は、前記遮蔽手段(80)は、前記被覆手段に水平方向に設けたフランジ部(63)とし、このフランジ部(63)は、前記仕切部材の挿通孔(160)に前記電気的接続手段(70)又は前記被覆手段を挿通させた状態で、前記仕切部材の上面側及び下面側のいずれか一方もしくは双方側から隙間を塞ぐ位置に設けられていることを特徴とする。
【００１５】
本発明は、請求項１記載の発明を限定したものである。すなわち、遮蔽手段(80)を、被覆手段の表面あるいは内面から水平方向に張り出すフランジ部(63)としたものである。
本発明においては、フランジ部(63)は上下方向に並列して複数、例えば設置したときに仕切部材の上面側及び下面側になるよう、仕切部材を挟み込むような位置に設けてもよいし、仕切部材の上面側又は下面側のいずれかの方向から隙間を塞ぐ位置に設けてもよい。
【００１６】
また、フランジ部(63)は、被覆手段の表面側に設けてもよいし、被覆手段の内面側に設けてもよい。表面側と内面側の双方に設けてもよい。
（作用）
本発明において、フランジ部(63)を被覆手段の表面側に設けた場合には、挿通孔(160)と被覆手段との間の隙間を塞ぐことができる。被覆手段が仕切部材の上下にわたって設けられている場合に適している。一方、フランジ部(63)を被覆手段の内面側に設けた場合には、挿通孔(160)と被覆手段との間の隙間を塞ぐとともに、電気的接続手段(70)と被覆手段との間の隙間も塞ぐことができ、被覆手段の内部を貫通させて異物を挿入しようとする不正行為に効果がある。これは、被覆手段が仕切部材よりも上部のみに設けられている場合に適している。
【００１７】
（請求項３）
（特徴点）
請求項３記載の発明は、上記した請求項１又は請求項２記載の発明の特徴点に加え、次の点を特徴とする。
すなわち、請求項３記載の発明は、前記被覆手段は、前記仕切部材の上下に連続して設けられていることを特徴とする。
【００１８】
本発明は、請求項１又は２記載の発明をさらに限定したものである。本発明においては、仕切部材には被覆手段が挿通可能な挿通孔(160)が形成されることとなり、遮蔽手段(80)は仕切部材と被覆手段との間隙を覆う形のものとなる。
（作用）
本発明によれば、被覆手段を筐体内に取り付けた後に、仕切部材を取り付けることとなる。すなわち、仕切部材により被覆手段を押さえることができ、被覆手段の固定が緩んでも剥がれたり落下したりしにくい。
【００１９】
【発明の実施の形態】
本発明を表す好適な実施の形態を、遊技機としてスロットマシンを例に図面に基づき説明する。
（第一の実施の形態）
（図面の説明）
図１乃至図７は、本発明の第一の実施の形態を示すものである。
【００２０】
図１はスロットマシンの分解斜視図、図２は筐体ユニットの分解斜視図、図３は筐体ユニットの斜視図、図４はスロットマシンの縦断面図である。また、図５乃至図７は、ケーブルダクトと中板の接合部分の断面図をそれぞれ示すものである。
本実施の形態に係るスロットマシン１は、図１に示すように、正面側に開口部11を有する筐状の筐体ユニット10と、筐体ユニット10の内部に着脱自在に設けられる交換ユニット20と、筐体ユニット10の開口上部11Aを開閉可能に塞ぐ上部前扉30と、開口下部11Bを開閉可能に塞ぐ下部前扉40とを備えている。
【００２１】
（筐体ユニット10）
筐体ユニット10は、図１に示すように、底部に配置された底板12、両側に配置された一対の側板13、頂部に配置された天板14及び裏側に配置された裏板15からなる筺体である。また、筐体ユニット10の高さ方向における略中央部分には、一対の側板13の間に水平に架け渡された仕切部材としての中板16が設けられている。そして、この中板16の下面には電源ユニット２が設けられ、底板12にはホッパーユニット３が設置されている。また、左方の側板13の正面側の端縁には、下部前扉40を回動自在に支持する回動支持部17が設けられている。
【００２２】
ここで、電源ユニット２は、中板16の下面に、取り付け板等を介して取り付けられている。電源ユニット２には、特に図示しないが電源装置が内蔵され、遊技店の操作員が種々の設定を行うためのスイッチ等が設けられている。
電源ユニット２及びホッパーユニット３は、異なる交換ユニット20に対しても共通に利用できるものである。換言すれば、交換ユニット20を他の種類の交換ユニット20に交換するにあたり、電源ユニット２及びホッパーユニット３は、別のものへの交換が不要となっている。
【００２３】
ところで、前記裏板15の内面に沿って、前記開口上部11Aから開口下部11Bへと伸びる被覆手段としてのケーブルダクト60が取り付けられているが、これについては後述する。
（交換ユニット20）
交換ユニット20は、図１に示すように、種々の部品を設置あるいは固定するための支持体としての枠体21と、この枠体21に固定されたリールユニット22と、各種の電子回路が形成されている基板ユニット23とを備えたものである。
【００２４】
このうち、リールユニット22は、周囲に複数の図柄を表示した複数の回転リール24と、これらの回転リール24を回転駆動する図示しない駆動モータとを有している。また、基板ユニット23には、スロットマシン１の遊技動作等を制御するための主基板と、各種演出を行うための副基板とが設けられている。この主基板、副基板は、スロットマシンの制御を司る制御装置として機能するものである。
【００２５】
ここで、前記筐体ユニット10の各側板13の内側の面には、交換ユニット20の枠体21を係止可能な固定装置５が設けられている。交換ユニット20は、筐体ユニット10の中板16の上に載置され、この状態で固定装置５に係止されることにより、筐体ユニット10の内部に収納・固定されるものである。そして、固定装置５は、所定の操作が行われることにより、筐体ユニット10との係止が解除されるようになっている。交換ユニット20は、固定装置５による係止が解除されると、筐体ユニット10から取り外して分離することが可能となっている。
【００２６】
また、交換ユニット20の枠体21には、上部前扉30を回動自在に支持する回動支持部25が設けられている。この回動支持部25により、交換ユニット20は、上部前扉30が装着された状態で、筐体ユニット10に対して着脱することが可能となっている。
（上部前扉30）
上部前扉30は、図１に示すように、交換ユニット20の枠体21に一端縁側が回動自在に支持され、且つ、他端縁側がラッチ装置（図示せず）によりロック可能となった扉体である。また、上部前扉30は、回転リール24の図柄を正面側から見るために、略中央部に形成された図柄表示窓32と、この図柄表示窓32の周囲に設けられた飾り部33と、種々の表示を行うための表示装置34とを備えている。このうち、飾り部33としては、ランプ等の発光体を含んで構成され、入賞の報知等の演出時に発光体を点滅させるものを採用することが好ましい。また、表示装置34としては、７セグメントＬＥＤ等により数字の表示が可能となった表示装置、あるいは、数字や文字だけでなく、画像の表示までもが可能となった液晶パネルやＣＲＴを利用した表示装置が採用できる。
【００２７】
（下部前扉40）
下部前扉40は、図１に示すように、筐体ユニット10の側板13に一端縁側が回動自在に支持され、且つ、他端縁側がラッチ装置（図示せず）によりロック可能となった扉体である。下部前扉40の奥行き寸法、換言すると、厚さは、上部前扉30よりも大きくされている。
【００２８】
下部前扉40の上部は、スロットマシン１を作動させるための操作部50となっており、下部前扉40の下部には、払い出されたメダルを溜めておくためのメダル受け42が形成されており、下部前扉40の略中央部には、遊技内容その他の表示をするための前パネル43が嵌め込まれている。
前記操作部50には、右側から、下部前扉40の施錠を行う鍵が差し込まれる鍵穴51と、遊技用メダルが投入されるメダル投入口52と、回転リール24の回転を停止させるストップスイッチ53と、メダル投入口52に投入されたメダルのうち該ゲームに賭けるメダルの枚数を設定するためのベットスイッチ54と、回転リール24の回転を開始させるスタートスイッチ55とが設けられている。
【００２９】
なお、特に図示しないが、下部前扉40の裏面側には、前記メダル投入口52から投入されたメダルを誘導しながらメダルの正偽を判断するためのメダルセレクターが設けられている。
（電気配線）
ここで、スロットマシン１に内設された各構成部品を電気的に接続する電気配線について説明する。
【００３０】
図１及び図４に示すように、筐体ユニット10の裏板15の内側面には、上下方向に延びる電気的接続手段70が配線されている。ここで、電気的接続手段70は、リールユニット22やホッパーユニット３等の内部装置を操作するために、当該内部装置と電源ユニット２や基板ユニット23とを電気的に接続する操作用ケーブルと、照明装置の蛍光灯に電力を供給するための蛍光灯用ケーブルを備えている。またこれらは、ケーブルダクト60に収納され筐体ユニット10に固定される筐体側ケーブル71と、交換ユニット20側に接続され、交換時には交換ユニット20とともに筐体ユニット10から取り外される交換ユニット側ケーブル71に分けられる。
【００３１】
前記筐体側ケーブル71の上端には、筐体側コネクタ73が取り付けらけれ、筐体ユニット10の天板14の裏面奥側に設けられたコネクタブラケット18に固定されている。筐体側ケーブル71は、交換ユニット20を交換する際、筐体ユニット10にそのまま残しておけるものである。
前記交換ユニット側ケーブル72の先端には、交換ユニット側コネクタ74が設けられている。そして、交換ユニット側コネクタ74を前記筐体側コネクタ73と接続することにより、交換ユニット20が電源ユニット２その他の内部装置と電気的に接続されるものである。交換ユニット20を交換する際には、筐体側コネクタ73と交換ユニット側コネクタ74との接続を外し、交換ユニット20を取り出せばよいので、面倒な配線作業を行う必要がない。
【００３２】
（ケーブルダクト60）
次に、ケーブルダクト60について詳述する。
ケーブルダクト60は、図２乃至図４に示すように、筐体ユニット10の裏板15の内側面に、中板16の上下にわたって取り付けられた筒状体である。そして、ケーブルダクト60は、裏板15に固定されるベース部材61と、このベース部材61を覆うカバー部材62とを組み合わせた構成となっている。
【００３３】
ベース部材61及びカバー部材62は、図２に示すように、両端縁に沿って一対の側壁が形成された樋状の部材であり、ベース部材61及びカバー部材62は、互いの溝部を対向させた状態で組み合わされる。具体的には、図６に示すように、ベース部材61の両側壁外面に形成された突起部61aに、カバー部材62の両側壁内面に形成された係合爪62aを係合させることにより、一体となるものである。
【００３４】
また、ベース部材61には、操作用ケーブルを挿通させる部分と、蛍光灯用ケーブルを挿通させる部分とを仕切る仕切壁61bが設けられている。仕切壁61bは、蛍光灯用ケーブルから発生する電気的雑音による影響が操作用ケーブルに及ばないようにするためのものである。
さらに、カバー部材62の表面略中央には、遮蔽手段80としてのフランジ部63が二個形成されている。フランジ部63は、図２に示すように、カバー部材62の正面側及び両側面側から横方向に張り出すコ字状の薄板であり、二個のフランジ部63の間には、筐体ユニット10の中板16を嵌入可能な幅を有する溝部64が形成されている。そして、カバー部材62をベース部材61に被せて取り付けたとき、前記溝部64に中板16が嵌め込まれるようになっている。
【００３５】
すなわち、図２に示すように、中板16には、ケーブルダクト60の外形寸法よりも若干大きめに形成された切欠部161が二つ形成されていて、この切欠部161の部分が前記フランジ部63の間の溝部64に嵌り込むものである。そして、前記切欠部161は、中板16が取り付けられた状態で、裏板15との間にケーブルダクト60が挿通する挿通孔160を形成する。このとき、図５に示すように、切欠部161とケーブルダクト60の表面との間に隙間162が生じても、その隙間162をフランジ部63が塞ぐようになっている。従って、もし中板16の下側からピアノ線などが差し込まれたとしても、このフランジ部63がその進入を遮断するので、上部の基板ユニット23等にいたずらすることはできない。なお、図示したように、中板16と二個のフランジ部63との間に多少の間隙があったとしても、この隙間162はクランク状に折れ曲がっているので、この間からピアノ線などを差し込むのは不可能である。
【００３６】
上述したケーブルダクト60を筐体ユニット10に取り付ける場合には、中板16を取り外した状態で取り付け作業を行う。
まず、ベース部材61をビス等により筐体ユニット10の裏板15の表面に固定する。ベース部材61の固定位置は、中板16の切欠部161と合わせておく。その後、筐体側ケーブル71を収納し、カバー部材62を取り付ける。すなわち、ベース部材61の突起部61aに、カバー部材62の係合爪62aを係合させる。このとき、カバー部材62を完全にベース部材61に固定させずに、仮止め程度にしておくとよい。
【００３７】
次に、中板16を開口部11内に取り付ける。取り付けは、特に図示しないが、側板13及び裏板15に設けたブラケットに中板16をビス等で固定する。この際、カバー部材62の位置を微調整し、二つのフランジ部63の間の溝部64に、中板16の切欠部16が嵌まり込む要にする。そして、カバー部材62をベース部材61にしっかりと嵌入し、中板16の後端面と裏板15の間に隙間が生じないように中板16を固定する。フランジ部63は、切欠部161よりも大きい寸法に形成されているので、挿通孔160を上下から塞ぐかたちとなる。従って、取り付け時にケーブルダクト60と切欠部161との多少の位置ずれがあっても、開口下部11Bから開口上部11Aへの異物の進入を防ぐことができる。
【００３８】
また、カバー部材62は中板16により正面側から押さえられているので、正面側に剥がれることはない。また、フランジ部63が中板16に係止されるので、上下に抜けることもない。従って、交換ユニット20の交換作業の際、係合部分（突起部61a及び係合爪62a）が破損したり、使用年数の経過により材質が劣化しても、筐体側ケーブル71を好適に保護することができる。さらには、上述した理由により係合部分をそれほど堅固にする必要がないので、筐体側ケーブル71の交換の際、カバー部材62を取り外しやすく、作業効率がよい。
【００３９】
このように、本実施の形態によれば、従来のように複数の留め具で電気的接続手段70を配線固定する場合に比べて、ネジ止め箇所が大幅に減少し、配線作業、取外作業及び再配線作業に手間がかからず、組立作業及びメンテナンスを容易に行うことができ、電気的接続手段70の損傷も防ぐことができる。さらに、中板16とケーブルダクト60との間隙からピアノ線などを進入させて、基板等に悪戯してスロットマシンを誤作動させる「ゴト」行為を防止することができる。また、ケーブルダクト60と筐体側ケーブル71を設置した後で、ケーブルダクト60を正面側から押さえるようにして中板16を取り付けるので、より確実に電気的接続手段70を保護することができる。
【００４０】
なお、遮蔽手段80としてのフランジ部63は、上述したように二個設けた方が確実に不正防止効果を発揮するが、図７に示すように、フランジ部63を一つだけ形成するようにしても、フランジ部63を二個設けた場合とほぼ同様の効果が得られる。すなわち、図７(Ａ)に示すように、フランジ部63が中板16の上方に位置するように形成しても、また図７(Ｂ)に示すように、フランジ部63が中板16の下方に位置するように形成しても、フランジ部63により中板下方からの異物の進入を遮蔽することができる。ただし、フランジ部63が中板16の上面に位置するように形成した方が、カバー部材62とベース部材61との係合の緩みによるカバー部材62の落下を防止することができ、より好ましい。
【００４１】
（第二の実施の形態）
（図面の説明）
図８及び図９は、本発明の第二の実施の形態を示すものである。
図８は筐体ユニットの斜視図、図９はダクトと中板の接合部分の縦断面図をそれぞれ示すものである。
【００４２】
本実施の形態に係るスロットマシン１の基本的な構成は、第一の実施の形態で述べたのと同様であるのでここでは説明を省略し、本実施の形態の特徴点のみ詳述する。
（ケーブルダクト60）
本実施の形態に係るケーブルダクト60は、図８に示すように、筐体ユニット10の裏板15の内側面に、中板16の上方に取り付けられた筒状体である。そして、ケーブルダクト60は、裏板15に固定されるベース部材61と、このベース部材61を覆う上カバー部材65とを組み合わせた構成となっている。
【００４３】
ここで、ケーブルダクト60を中板16の上方にのみ設けるメリットとしては、筐体側ケーブル71のうち、開口上部11Aに配置されている部分の方が交換ユニット20の交換作業などに伴う損傷の可能性が高く、この部分を重点的に保護することによりケーブルダクト60を安価におさえることができ、また中板16を固定したまま上カバー部材65を取り外せるという点である。
【００４４】
ベース部材61は、裏板15の表面であって、中板16の上側部分に固定される。また、上カバー部材65の表面下端部には、遮蔽手段80としてのフランジ部66が形成されている。フランジ部66は、図８及び９に示すように、上カバー部材65の正面側及び両側面側から外側に向かって張り出すコ字状の薄板であり、上カバー部材65をベース部材61に被せて取り付けたとき、フランジ部66が中板16の上面側に位置するようになっている。なお、ベース部材61及び上カバー部材65のその他の構成は、第一の実施の形態と同様である。
【００４５】
また、中板16には、第一の実施の形態同様に切欠部161が二つ形成されているが、切欠部161の幅は、筐体側ケーブル71が挿通可能な幅であれば足りる。このとき、図９に示すように、挿通孔160に下側から物を差し込めるような隙間があっても、その隙間をフランジ部66が塞ぐようになっている。もし中板16の下側からピアノ線などが差し込まれたとしても、このフランジ部63がその進入を遮断するので、かかる異物が挿通孔160を貫通することはない。また、図示したように、中板16とフランジ部63との間に多少の隙間162があったとしても、この隙間162はクランク状に折れ曲がっているので、この間からピアノ線などを差し込むのは不可能である。
【００４６】
上述したケーブルダクト60を筐体ユニット10に取り付ける場合には、中板16を設置した状態でも取り付け作業を行うことができる。
まず、ベース部材61をビス等により筐体ユニット10の裏板15の表面に固定する。ベース部材61の固定位置は、中板16の切欠部161と合わせておく。その後、中板16の下方から切欠部161を通して筐体側ケーブル71を引き出し、ベース部材61に収納したうえで上カバー部材65を取り付ける。このとき、上カバー部材65のフランジ部66が中板16となるべく接するように上下の位置を調整する。フランジ部66の外周は、切欠部161よりも大きい寸法に形成されているので、挿通孔160を上側から塞ぐかたちとなる。従って、取り付け時にケーブルダクト60と切欠部161との多少の位置ずれがあっても、開口下部11Bから開口上部11Aへの異物の進入を防ぐことができる。
【００４７】
このように、本実施の形態によれば、従来のように複数の留め具で電気的接続手段70を配線する場合に比べて、ネジ止め箇所が大幅に減少し、配線作業、取外作業及び再配線作業に手間がかからず、組立作業及びメンテナンスを容易に行うことができ、電気的接続手段70の損傷も防ぐことができる。さらに、中板16と筐体側ケーブル71との間隙からピアノ線などを進入させて、基板等に悪戯してスロットマシンを誤作動させる「ゴト」行為を防止することができる。また、中板16を取り外すことなくケーブルダクト60を取り外すことができるので、筐体側ケーブル71のメンテナンス等がしやすい。
【００４８】
（その他の実施の形態）
ケーブルダクト60は、上記した第一及び第二の実施の形態の他に、図１０に示すような形状としてもよい。
すなわち、ベース部材61は中板を貫通して開口下部11Bから開口上部11Aわたって設ける。そして、中板16の上方には上カバー部材65を、中板16の下方には下カバー部材67を、それぞれ取り付ける。そして、上カバー部材65の下端部に形成したフランジ部66と、下カバー部材67の上端部に形成したフランジ部68とにより中板16を挟むようにして、挿通孔160を塞ぐものである。このように形成すると、開口下部11Bに位置する筐体側ケーブル71の保護ができるとともに、中板16を取り外すことなく上カバー部材65及び下カバー部材67を取り外すことができる。また、中板16の厚みに関係なく、フランジ部66とフランジ部68とで中板16を挟み込むことができるので、より確実なゴト防止効果が期待できる。
【００４９】
また、図１１に示すように、上カバー部材65の下端部に、ケーブルダクト60の内側に張り出すフランジ部69を形成してもよい。このように形成すると、ベース部材61に筐体側ケーブル71を配置した後上カバー部材65を被せたとき、フランジ部69が筐体側ケーブル71を押さえ、ケーブルダクト60の下部開口を塞ぐこととなるので、ケーブルダクト60を貫通する隙間から物を差し込まれるのを防ぐことができる。
【００５０】
以上述べてきたように、本発明によれば、被覆手段としてのケーブルダクト60を取り付けることにより、電気的接続手段70の保護を図ることができると同時に、中板16と電気的接続手段70又はケーブルダクト60との間の隙間を遮蔽して、ゴト防止にも役立つものである。
なお、スロットマシンとしては、遊技を担当する遊技担当部分が分離・交換可能となった分離型のものに限らず、遊技を担当する遊技担当部分のみの交換が不可能な一体型のスロットマシンでもよい。また、遊技機としては、スロットマシンに限られず、他の種類の遊技を行う遊技機でもよい。
【００５１】
【発明の効果】
本発明は、以上のように構成されているので、以下に記載されるような効果を奏する。
（請求項１又は２）
請求項１又は２記載の発明によれば、次のような効果を奏する。
【００５２】
すなわち、請求項１又は２記載の発明によれば、筐体内に配線された電気的接続手段の破損を防止すると共に、外部からの異物挿入などのいわゆる「ゴト」行為を効果的に防止し、取り付け取り外しの容易な電気的接続手段の被覆手段を有する遊技機を提供することができる。
（請求項３）
請求項３記載の発明によれば、上記した請求項１又は請求項２記載の発明の効果に加え、次のような効果を奏する。
【００５３】
すなわち、請求項３記載の発明によれば、簡易な構成であっても保護機能、ゴト防止機能に優れた被覆手段を有する遊技機を提供することができる。
【図面の簡単な説明】
【図１】
本発明の第一の実施の形態であって、スロットマシンの分解斜視図である。
【図２】
本発明の第一の実施の形態であって、筐体ユニットの分解斜視図である。
【図３】
本発明の第一の実施の形態であって、筐体ユニットの斜視図である。
【図４】
本発明の第一の実施の形態であって、スロットマシンの縦断面図である。
【図５】
本発明の第一の実施の形態であって、ケーブルダクトと中板の接合部分の縦断面図である。
【図６】
本発明の第一の実施の形態であって、ケーブルダクトの横断面図である。
【図７】
本発明の第一の実施の形態であって、ケーブルダクトと中板の接合部分の他の例を示す図である。
【図８】
本発明の第二の実施の形態であって、筐体ユニットの斜視図である。
【図９】
本発明の第二の実施の形態であって、ケーブルダクトと中板の接合部分の縦断面である。
【図１０】
本発明の他の実施の形態であって、ケーブルダクトと中板の接合部分の縦断面図である。
【図１１】
本発明の他の実施の形態であって、ケーブルダクトと中板の接合部分の縦断面図である。
【符号の説明】
１  スロットマシン                  ２  電源ユニット
３  ホッパーユニット                ５  固定装置
10  筐体ユニット                    11  開口部
12  底板                            13  側板
14  天板                            15  裏板
16  中板                            17  回動支持部
18  コネクタブラケット
20  交換ユニット                    21  枠体
22  リールユニット                  23  基板ユニット
24  回転リール                      25  回動支持部
30  上部前扉                        32  図柄表示窓
33  飾り部                          34  表示装置
40  下部前扉                        42  メダル受け皿
43  表示パネル
50  操作部                          51  鍵穴
52  メダル投入口                    53  ストップスイッチ
54  ベットスイッチ                  55  スタートスイッチ
60  ケーブルダクト                  61  ベース部材
61a 突起部                          61b 仕切壁
62  カバー部材                      62a 係合爪
63  フランジ部                      64  溝部
65  上カバー部材                    66  フランジ部
67  下カバー部材                    68  フランジ部
69  フランジ部
70  電気的接続手段                  71  筐体側ケーブル
72  交換ユニット側ケーブル          73  筐体側コネクタ
74  交換ユニット側コネクタ
80  遮蔽手段
160 挿通孔                          161 切欠部
162 隙間